(57)【要約】【課題】  つなぎ合わせのための専用の部材を要さず、簡単に部品テープをつなぎ合わせる部品テープのつなぎ合わせ方法を提供する。【解決手段】  電子部品１を包装する２つの部品テープ１０をつなぎ合せる部品テープ１０のつなぎ合わせ方法であって、交換用の部品テープ１０の先端に形成された連結部１４の凹部に、部品実装機に使用されている部品テープ１０の終端に形成された連結部１４を裏面側から圧入することで、２つの部品テープ１０をそれぞれの先端と終端とでつなぎ合せる。【選択図】        図１
2005104557.tif 000002
【特許請求の範囲】
【請求項１】
複数の部品を長手方向に沿って配列させた形で包装する２つの部品テープをつなぎ合せる部品テープのつなぎ合わせ方法であって、
一方の部品テープの一端に形成された凹部に、他方の部品テープの一端に形成された凸部を圧入する
ことを特徴とする部品テープのつなぎ合わせ方法。
【請求項２】
前記部品テープのそれぞれには、裏面側に膨出して表面側に前記凹部を有する連結部が両端に形成されており、
一方の部品テープの端に形成された連結部の表面側の凹部に、他方の部品テープの端に形成された連結部を前記凸部として裏面側から圧入する
ことを特徴とする請求項１記載の部品テープのつなぎ合わせ方法。
【請求項３】
前記部品テープのそれぞれには、表面側に膨出して裏面側に前記凹部を有する連結部が両端に形成されており、
一方の部品テープの端に形成された連結部の裏面側の凹部に、他方の部品テープの端に形成された連結部を前記凸部として表面側から圧入する
ことを特徴とする請求項１記載の部品テープのつなぎ合わせ方法。
【請求項４】
前記部品テープのそれぞれには、長手方向に沿って配列してそれぞれ部品を収納する複数の収納部と、前記収納部と収納部の間の各位置、及び前記部品テープの両端の位置において裏面側に膨出して表面側に前記凹部を有する連結部とが形成されており、
一方の部品テープを連結部が先端に残るように途中で切断し、
前記先端にある連結部の表面側の凹部に、他方の部品テープの終端に形成された連結部を前記凸部として裏面側から圧入する
ことを特徴とする請求項１記載の部品テープのつなぎ合わせ方法。
【請求項５】
前記部品テープのそれぞれには、長手方向に沿って配列してそれぞれ部品を収納する複数の収納部と、前記収納部と収納部の間の各位置、及び前記部品テープの両端の位置において表面側に膨出して裏面側に前記凹部を有する連結部とが形成されており、
一方の部品テープを連結部が先端に残るように途中で切断し、
前記先端にある連結部の裏面側の凹部に、他方の部品テープの終端に形成された連結部を前記凸部として表面側から圧入する
ことを特徴とする請求項１記載の部品テープのつなぎ合わせ方法。
【請求項６】
前記連結部は、前記収納部と収納部の間の各位置、及び前記部品テープの両端の位置においてそれぞれ複数個形成されており、
一方の部品テープの前記何れかの位置において形成された複数の連結部の凹部に、他方の部品テープの終端に形成された複数の連結部を各別に圧入する
ことを特徴とする請求項２〜５の何れか１項に記載の部品テープのつなぎ合わせ方法。
【請求項７】
前記部品テープのそれぞれには、裏面側に膨出して表面側の凹部に部品を収納するための複数の収納部が、前記部品テープの長手方向に沿って形成されており、
一方の部品テープの端に形成された収納部の表面側の凹部に、他方の部品テープの端に形成された収納部を前記凸部として裏面側から圧入する
ことを特徴とする請求項１記載の部品テープのつなぎ合わせ方法。
【請求項８】
前記部品テープのそれぞれには、裏面側に膨出して表面側の凹部に部品を収納するための複数の収納部が、前記部品テープの長手方向に沿って形成されており、
一方の部品テープの収納部と収納部との間を切断し、
切断後の先端にある収納部の表面側の凹部に、他方の部品テープの終端に形成された収納部を前記凸部として裏面側から圧入する
ことを特徴とする請求項１記載の部品テープのつなぎ合わせ方法。
【請求項９】
部品を包装する部品テープであって、
前記部品テープの長手方向に沿って配列してそれぞれに部品が収納される複数の収納部と、
前記部品テープの両端で裏面側に膨出して表面側に凹部を有する第１の連結部と
を備え、
前記部品テープの両端にある第１の連結部は、一端側の第１の連結部の凹部に他端側の第１の連結部が裏面側から挿入された場合に、互いに押圧した状態で係合するように形成される
ことを特徴とする部品テープ。
【請求項１０】
部品を包装する部品テープであって、
前記部品テープの長手方向に沿って配列してそれぞれに部品が収納される複数の収納部と、
前記部品テープの両端で表面側に膨出して裏面側に凹部を有する第１の連結部と
を備え、
前記部品テープの両端にある第１の連結部は、一端側の第１の連結部の凹部に他端側の第１の連結部が表面側から挿入された場合に、互いに押圧した状態で係合するように形成される
ことを特徴とする部品テープ。
【請求項１１】
前記部品テープは、さらに、
前記収納部と収納部との間で裏面側に膨出して表面側に凹部を有する第２の連結部を備え、
前記第２の連結部は、前記第２の連結部の凹部に第１の連結部が裏面側から挿入された場合に、前記第１及び第２の連結部が互いに押圧した状態で係合するように形成される
ことを特徴とする請求項９記載の部品テープ。
【請求項１２】
前記部品テープは、さらに、
前記収納部と収納部との間で表面側に膨出して裏面側に凹部を有する第２の連結部を備え、
前記第２の連結部は、前記第２の連結部の凹部に第１の連結部が表面側から挿入された場合に、前記第１及び第２の連結部が互いに押圧した状態で係合するように形成される
ことを特徴とする請求項１０記載の部品テープ。
【請求項１３】
前記部品テープの第１の連結部と第２の連結部とがそれぞれ同形状及び同寸法の樹脂成形品からなる
ことを特徴とする請求項１１又は１２記載の部品テープ。
【発明の詳細な説明】
【技術分野】
【０００１】
本発明は、電子部品をはじめとする部品を包装する部品テープをつなぎ合わせる部品テープのつなぎ合わせ方法及び部品テープに関する。
【背景技術】
【０００２】
電子部品をプリント配線基板などの基板に実装する部品実装機は、電子部品を包装する部品テープが巻きつけられたリールを備えている。
図８（ａ）は、部品実装機の外観を示す斜視図である。
部品実装機１００は、部品供給部１０１に上述の複数のリール１０２を備え、そのリール１０２の部品テープを引き出しながら、部品テープに包装された電子部品を取り出して、その電子部品を基板上に実装する。
【０００３】
図８（ｂ）は、部品テープが巻きつけられたリールの外観を示す斜視図である。
部品テープ１０３は、電子部品１０４が収納されるエンボステープ１０３ａと、エンボステープ１０３ａに貼り付けられたカバーテープ１０３ｂとを備えている。
エンボステープ１０３ａは薄肉の樹脂成形品からなり、そのエンボステープ１０３ａには、裏面側に膨出して表面側に収納凹部を有する収納部１０３ｃが長手方向に沿って複数個形成されている。その収納凹部には電子部品１０４がそれぞれ一つずつ収納され、その収納凹部を覆う形でカバーテープ１０３ｂがエンボステープ１０３ａの表面に貼り付けられている。
【０００４】
このような部品実装機１００では、従来、部品テープ１０３に包装されている電子部品１０４が全て基板上に実装されてしまうと、作業員は、リール１０２の交換のため部品実装機１００の実装動作を停止させていた。つまり、作業員は、部品テープ１０３が巻かれていたリール１０２、又は、リール１０２から部品テープ１０３を実装機内部に導入するためのカセットを取り外し、新たな部品テープ１０３が巻きつけられたリール１０２、又は、そのカセットを部品実装機１００に取り付ける。
【０００５】
ところが、このように部品実装機１００の実装動作を停止させてしまうと、作業効率が低下してしまう。
そこで、近年、実装動作の停止を防ぐため、引き出されている部品テープ１０３の終端がリールの表面に近づくと、その部品テープ１０３の終端を、新たな交換用のリール１０２に巻き付けられた部品テープ１０３の先端につなぎ合わせるといった作業が行われている。
【０００６】
このように、使用中の部品テープ１０３の終端と、交換用の部品テープ１０３の先端とをつなぐことにより、部品実装機１００の実装動作を停止させることがなく、作業効率の低下を防ぐことができるのである。
従来のエンボステープ１０３ａを備えた部品テープ１０３のつなぎ合わせ方法では、エンボステープ１０３ａの終端と先端とをつなぐための専用のテープが用いられている（例えば、特許文献１参照。）。
【０００７】
図９は、上記特許文献１のエンボステープ１０３ａを備えた部品テープ１０３のつなぎ合わせ方法を示す説明図である。
このような特許文献１の部品テープ１０３のつなぎ合わせ方法では、部品テープ１０３のエンボステープ１０３ａの終端と先端とをつき合わせ、その終端及び先端に接続テープ１０６を貼り付ける。
【０００８】
接続テープ１０６には、長手方向に沿って略矩形の複数の開口部１０６ａが形成されており、接続テープ１０６を貼り付けるときには、エンボステープ１０３ａの裏面側に膨出する収納部１０３ｃを開口部１０６ａに挿通させるように貼り付ける。
このような接続テープ１０６を貼り付けることにより、部品テープ１０３のつなぎ強度を高めている。
【０００９】
また、ジョイントテープをカバーテープの上から貼り付けるつなぎ合わせ方法も実施されている。
図１０は、上記ジョイントテープをカバーテープ１０３ｂの上から貼り付けるつなぎ合わせ方法を説明するための説明図である。
ジョイントテープ１０７は、貼り付け面積が部品テープ１０３の終端と先端とで等しくなるように、それぞれの部品テープ１０３のカバーテープ１０３ｂ上に貼り付けられる。
【００１０】
ここで、ジョイントテープ１０７をカバーテープ１０３ｂに貼り付けるときには、部品テープ１０３の終端と先端とを突き合わせて互いにずれのないように位置あわせを行う必要がある。即ち、２つの部品テープ１０３が突合せ部分で一直線に沿い、且つ、終端と先端にあるそれぞれの収納部１０３ｃの間隔が、一つのエンボステープ１０３ａ上に形成された各収納部１０３ｃの間隔と等しくなるように位置あわせを行う必要がある。また、このような位置あわせは正確に行う必要があるため、ジョイントテープ１０７の貼り付けに専用の工具を要する。
【００１１】
さらに、ジョイントテープ１０７だけではつなぎ強度が弱いため、エンボステープ１０３ａの終端と先端とをつなぎ止める金具が用いられることもある。このような金具の両端は、専用の工具を用いることにより、エンボステープ１０３ａの終端と先端に形成された送り孔１０８に挿通され、かしめられる。
【特許文献１】実開昭６２−１６８３６４
【発明の開示】
【発明が解決しようとする課題】
【００１２】
しかしながら、上記特許文献１の部品テープのつなぎ合わせ方法では、接続テープ１０６を必要とし、接続テープ１０６の開口部１０６ａにエンボステープ１０３ａの収納部１０３ｃを挿通させて貼り付ける作業に手間がかかってしまうという問題がある。また、ジョイントテープ１０７を用いたつなぎ合わせ方法であっても、ジョイントテープ１０７の貼り付けや金具の取り付けに専用の工具を要し、位置あわせするのにも手間がかかってしまう。
【００１３】
そこで、本発明は、かかる問題に鑑みてなされたものであって、つなぎ合わせのための専用の部材を要さず、簡単に部品テープをつなぎ合わせる部品テープのつなぎ合わせ方法を提供することを目的とする。
【課題を解決するための手段】
【００１４】
上記目的を達成するために、本発明に係る部品テープのつなぎ合わせ方法は、複数の部品を長手方向に沿って配列させた形で包装する２つの部品テープをつなぎ合せる部品テープのつなぎ合わせ方法であって、一方の部品テープの一端に形成された凹部に、他方の部品テープの一端に形成された凸部を圧入することを特徴とする。例えば、前記部品テープのそれぞれには、裏面側に膨出して表面側に前記凹部を有する連結部が両端に形成されており、一方の部品テープの端に形成された連結部の表面側の凹部に、他方の部品テープの端に形成された連結部を前記凸部として裏面側から圧入することを特徴とする。
【００１５】
これにより、一方の部品テープの端（例えば先端）に形成された連結部と、他方の部品テープの端（例えば終端）に形成された連結部とが互いに押圧した状態で係合するため、作業員は、他の専用の部材を用いることなく連結部を圧入するという動作を行うだけで、一方の部品テープの先端に他方の部品テープの終端を簡単につなぎ合せることができる。また、予め部品テープに形成されている連結部が用いられるため、双方の部品テープを所定の位置からずれないようにつなぎ合せることができる。その結果、部品実装機が一方の部品テープを引き出し、そこに包装されている部品を順次取り出して基板上に実装しているときに、その部品テープの引き出しが終端に近づいても、その終端に新たな交換用の部品テープの先端を簡単に、且つ位置ずれの発生を防いでつなぎ合せることができ、作業員の作業負担を軽減することができるとともに、つなぎ合わせのために部品実装機の実装動作を停止させてしまうことを防いで、作業効率を向上することができる。
【００１６】
ここで、前記部品テープのそれぞれには、長手方向に沿って配列してそれぞれ部品を収納する複数の収納部と、前記収納部と収納部の間の各位置、及び前記部品テープの両端の位置において裏面側に膨出して表面側に前記凹部を有する連結部とが形成されており、一方の部品テープを連結部が先端に残るように途中で切断し、前記先端にある連結部の表面側の凹部に、他方の部品テープの終端に形成された連結部を前記凸部として裏面側から圧入することを特徴としても良い。
【００１７】
これにより、一方の部品テープを途中から他方の部品テープの終端につなぎ合わせるときには、一方の部品テープを連結部が先端に残るように途中で切断して、その先端に残った連結部が圧入に用いられるため、上述の終端と先端とをつなぎ合せるときと同様、一方の部品テープを途中から簡単につなぎ合せることができる。
また、前記連結部は、前記収納部と収納部の間の各位置、及び前記部品テープの両端の位置においてそれぞれ複数個形成されており、一方の部品テープの前記何れかの位置において形成された複数の連結部の凹部に、他方の部品テープの終端に形成された複数の連結部を各別に圧入することを特徴としても良い。
【００１８】
これにより、一方の部品テープに形成された複数の連結部と、他方の部品テープに形成された複数の連結部とが互いに押圧した状態で係合するため、つなぎ合わせの強度を向上することができるとともに、位置ずれの発生をさらに防いで双方の部品テープをつなぎ合せることができる。
ここで、前記部品テープのそれぞれには、裏面側に膨出して表面側の凹部に部品を収納するための複数の収納部が、前記部品テープの長手方向に沿って形成されており、一方の部品テープの端に形成された収納部の表面側の凹部に、他方の部品テープの端に形成された収納部を前記凸部として裏面側から圧入することを特徴としても良い。
【００１９】
これにより、一方の部品テープの端（例えば先端）に形成された収納部と、他方の部品テープの端（例えば終端）に形成された収納部とが互いに押圧した状態で係合するため、作業員は、他の専用の部材を用いることなく収納部を圧入するという動作を行うだけで、一方の部品テープの先端に他方の部品テープの終端を簡単につなぎ合せることができる。また、予め部品テープに形成されている収納部が用いられるため、双方の部品テープを所定の位置からずれないようにつなぎ合せることができる。また、部品テープに特別な構造を必要としないため、従来からある部品テープを用いても簡単につなぎ合せることができ、本方法が適用可能な部品テープの種類の幅を広げることができる。
【００２０】
また、前記部品テープのそれぞれには、裏面側に膨出して表面側の凹部に部品を収納するための複数の収納部が、前記部品テープの長手方向に沿って形成されており、一方の部品テープの収納部と収納部との間を切断し、切断後の先端にある収納部の表面側の凹部に、他方の部品テープの終端に形成された収納部を前記凸部として裏面側から圧入することを特徴としても良い。
【００２１】
これにより、一方の部品テープを途中から他方の部品テープの終端につなぎ合わせるときには、一方の部品テープの収納部と収納部との間を切断して、切断後の先頭にある収納部が圧入に用いられるため、上述の終端と先端とをつなぎ合せるときと同様、一方の部品テープを途中から簡単につなぎ合せることができる。
なお、本発明は、このような部品テープのつなぎ合わせ方法として実現することができるだけでなく、その方法が適用される部品テープとしても実現することができる。
【発明の効果】
【００２２】
本発明の部品テープのつなぎ合わせ方法は、一方の部品テープの先端に形成された連結部と、他方の部品テープの終端に形成された連結部とが互いに押圧した状態で係合するため、作業員は、他の専用の部材を用いることなく連結部を圧入するという動作を行うだけで、一方の部品テープの先端に他方の部品テープの終端を簡単につなぎ合せることができるという作用効果を奏する。
【発明を実施するための最良の形態】
【００２３】
（実施の形態１）
以下、本発明の第１の実施の形態における部品テープのつなぎ合わせ方法について図面を参照しながら説明する。
図１は、本発明の第１の実施の形態における部品テープのつなぎ合わせ方法を説明するための説明図である。
【００２４】
本実施の形態の部品テープのつなぎ合わせ方法では、図１（ａ）に示すように、予め複数の連結部１４が形成されたエンボステープ１１を備えた部品テープ１０同士をつなぎ合わせる。
この部品テープ１０は、薄肉の樹脂成形品からなるエンボステープ１１と、透光性を有する樹脂性のカバーテープ１９とを備えている。
【００２５】
エンボステープ１１には、電子部品を収納するための複数の収納部１２と、部品テープ１０を部品実装機内に送り込むための送り孔１３と、他の部品テープ１０とのつなぎ合わせに用いられる上述の連結部１４とが形成されている。
複数の収納部１２は、エンボステープ１１の構成部材が裏面側に膨出するように形成されている。つまり、エンボステープ１１の表面側には、その収納部１２の内面によって囲われた略矩形状の収納凹部１２ａが形成されている。
【００２６】
また複数の収納部１２はそれぞれ、長手方向に沿って等間隔に離れた位置にあり、その収納部１２の収納凹部１２ａには１つの電子部品１が収納される。
送り孔１３は、エンボステープ１１の長手方向に沿った両側部に、それぞれ等間隔に離れるように複数個形成されている。
連結部１４は、エンボステープ１１の構成部材が裏面側に膨出するように形成されている。つまり、エンボステープ１１の表面側には、その連結部１４の内面によって囲われる断面略円形の凹部が形成されている。このような連結部１４は、エンボステープ１１の両端にそれぞれ一対形成されるとともに、各収納部１２の間にも一対形成されている。そしてこのような一対の連結部１４は、エンボステープ１１の幅方向に沿って配列している。また、各連結部１４は、電子部品１の供給の障害とならないように、裏面からの下方高さが収納部１２よりも低くなるように形成されている。
【００２７】
カバーテープ１９は、エンボステープ１１の各収納凹部１２ａを塞ぎ、各連結部１４の凹部を開放する形で、そのエンボステープ１１の表面に貼り付けられている。このようなカバーテープ１９は、各収納凹部１２ａ内から電子部品が外れてしまうのを防止し、部品実装機によって収納凹部１２ａ内の電子部品が取り外されるときには、先端側から剥がされる。
【００２８】
そこで、部品実装機に取り付けられたリールから部品テープ１０が引き出され、その部品テープ１０の終端がリール表面に近づいてきたときには、作業員は、そのリールから部品テープ１０をその終端まで解き、その終端と、新たな交換用のリールに巻き付けられた部品テープ１０の先端とをつなぎ合わせる作業を行う。
即ち、作業員は、まず、図１（ａ）に示すように、使用中の部品テープ１０のエンボステープ１１の終端にある一対の連結部１４の裏面側を、交換用の部品テープ１０のエンボステープ１１の先端にある一対の連結部１４の凹部にそれぞれ対向させる。
【００２９】
次に、作業員は、使用中の部品テープ１０終端の連結部１４を裏面側から、交換用の部品テープ１０先端の連結部１４の凹部に押し込める。
その結果、図１（ｂ），（ｃ）に示すように、使用中の部品テープ１０の終端にある連結部１４は、交換用の部品テープ１０の先端にある連結部１４の凹部に挿入された状態となる。
【００３０】
ここで、使用中の部品テープ１０終端にある連結部１４を、交換用の部品テープ１０先端にある連結部１４の凹部に押し込めるときには、作業員は片手で押し込める。
図２は、使用中の部品テープ１０終端にある連結部１４を、交換用の部品テープ１０先端にある連結部１４の凹部に押し込めるときの様子を説明するための説明図である。
作業員は、図２（ａ）に示すように、使用中の部品テープ１０終端と交換用の部品テープ１０先端とを、それぞれに形成された連結部１４を対向させた状態で重ね合わせ、対向させた一対２組の連結部１４の周辺を片手で挟みこむ。これにより、使用中の部品テープ１０終端の連結部１４は、交換用の部品テープ１０先端の連結部１４の凹部に押し込められる。
【００３１】
そして、使用中の部品テープ１０及び交換用の部品テープ１０のそれぞれのエンボステープ１１に形成された連結部１４の形状及び寸法はそれぞれ等しく、且つ連結部１４は薄肉の樹脂成形品からなり弾力性を有するため、上述のように作業員が押し込めると、図２（ｂ）に示すように、それぞれの連結部１４は互いに押圧して歪ながら一方の連結部１４が他方の連結部１４の凹部に挿入される。挿入後であっても、交換用の部品テープ１０先端の連結部１４内面は、使用中の部品テープ１０終端の連結部１４に密着し、それぞれの連結部１４は互いに相手の連結部１４を押圧する状態に保たれる。
【００３２】
このような押圧により両部品テープ１０の重ね合わせ方向のつなぎ合わせ強度が確保されるとともに、互いの連結部１４の係合によって部品テープ１０の長手方向のつなぎ合わせ強度が確保され、その結果、使用中の部品テープ１０の終端と交換用の部品テープ１０の先端とがつなぎ合わされる。
なお、上述では作業員が連結部１４を手で直接押し込めたが、工具を用いて押し込んでも良い。
【００３３】
このように本実施の形態では、交換用の部品テープ１０の先端に形成された連結部１４の凹部に、使用中の部品テープ１０の終端に形成された連結部１４を裏面側から圧入することによってこれらの部品テープ１０をつなぎ合せるため、従来例のように専用のテープを貼り付けたりするなどの特別な部材を要することなく、簡単につなぎ合せることができる。また、予めエンボステープ１１に形成された連結部１４を用いてつなぎ合わせが行われるため、所定の位置からずれることなく双方の部品テープ１０をつなぎ合せることができ、つまり、双方の部品テープ１０を一直線に沿って、収納部１２と収納部１２との間の距離を等しく揃えてつなぎ合わせることができる。さらに、部品テープ１０の各連結部１４はそれぞれ、同形状及び同寸法の薄肉の樹脂成形品から構成されているため、専用の工具などを用いることなく人の手で簡単につなぎ合せることができる。また、本実施の形態では、エンボステープ１１の幅方向に沿って配列する一対の連結部１４を、他方の一対の連結部１４の凹部に押し込めるため、その連結部１４の数に応じてつなぎ合わせ強度を増すことができるとともに、位置ずれの発生を確実に防ぐことができる。
【００３４】
ここで、上述では、使用中の部品テープ１０の終端と、交換用の部品テープ１０の先端とをつなぎ合わせる方法について説明したが、使用中の部品テープ１０の終端に、交換用の部品テープ１０を途中からつなぎ合わせる方法について、以下に説明する。
図３は、使用中の部品テープ１０の終端に、交換用の部品テープ１０を途中からつなぎ合わせる方法を説明するための説明図である。
【００３５】
まず、作業員は、図３（ａ）に示すように、交換用の部品テープ１０においてつなぎ合せる部位を特定して、その部位から先端側を切り取る。このとき、作業員は、部品テープ１０の切り取り後の先端に一対の連結部１４が残るように切り取りを行う。
切り取り後、交換用の部品テープ１０のエンボステープ１１先端は、カバーテープ１９に覆われた状態になっている。
【００３６】
そこで、作業員は、図３（ｂ）に示すように、交換用の部品テープ１０のつなぎ合わせ部分でカバーテープ１９を挟み込まないように、カバーテープ１９を一部先端側から剥がし、その交換用の部品テープ１０の先端に形成された連結部１４に、使用中の部品テープ１０の終端に形成された連結部１４の裏面を対向させる。そして、図１及び図２で説明したのと同様、作業員は、対向させた一対２組の連結部１４周辺を片手で挟み込んで、一方の連結部１４を他方の連結部１４の凹部に押し込むことによって、使用中の部品テープ１０の終端に交換用の部品テープ１０を途中からつなぎ合せる。
【００３７】
このように本実施の形態では、交換用の部品テープ１０を途中から、使用中の部品テープ１０の終端につなぎ合せるときには、交換用の部品テープ１０を連結部１４が先端に残るように途中で切断して、その先端に残った連結部１４を用いるため、上述の終端と先端とをつなぎ合わせるときと同様、交換用の部品テープ１０を途中から簡単につなぎ合せることができる。
【００３８】
言い換えれば、本実施の形態において用いる部品テープ１０は、両端と収納部１２間に連結部１４を備えているため、使用中の部品テープ１０の終端に、交換用の部品テープ１０の先端を簡単につなぎ合せることができるとともに、交換用の部品テープ１０を任意の途中から簡単につなぎ合せることもできる。
なお、本実施の形態では、エンボステープ１１の収納部１２と収納部１２の間の各位置において一対の連結部１４を備えたが、これらの位置に連結部１４を備えずにエンボステープ１１の両端の位置にのみ一対の連結部１４を備えても良い。この場合にも、使用中の部品テープ１０の終端に交換用の部品テープ１０の先端を簡単につなぎ合せることができる。
【００３９】
また、本実施の形態では、つなぎ合わせ部分で、交換用の部品テープ１０の先端が、使用中の部品テープ１０の終端の裏面側に位置するように、双方の部品テープ１０をつなぎ合わせたが、位置関係がその逆となるようにつなぎ合わせても良い。即ち、つなぎ合せるときには、交換用の部品テープ１０の先端裏面を、使用中の部品テープ１０の終端表面に対向させ、その先端にある連結部１４を上方からその終端にある連結部１４の凹部に押し込む。
【００４０】
さらに、本実施の形態では、エンボステープ１１の裏面側に膨出して表面側に凹部を有するように連結部１４を形成したが、その逆、つまりエンボステープ１１の表面側に膨出して裏面側に凹部を有するように連結部１４を形成しても良い。  （実施の形態２）
以下、本発明の第２の実施の形態における部品テープのつなぎ合わせ方法について図面を参照しながら説明する。
【００４１】
図４は、本発明の第２の実施の形態における部品テープのつなぎ合わせ方法を説明するための説明図である。
本実施の形態の部品テープのつなぎ合わせ方法では、図４（ａ）に示すように、終端及び先端に空の収納凹部２２ａを有するエンボステープ２１を備えた部品テープ２０同士をつなぎ合せる。
【００４２】
この部品テープ２０は、実施の形態１と同様、薄肉の樹脂成形品からなるエンボステープ２１と、透光性を有する樹脂性のカバーテープ２９とを備えている。
エンボステープ２１には、電子部品２を収納するための複数の収納部２２と、部品テープ２０を部品実装機内に送り込むための送り孔２３とが形成されている。
複数の収納部２２は、エンボステープ２１の構成部材が裏面側に膨出するように形成されている。つまり、エンボステープ２１の表面側には、その収納部２２の内面によって囲われた略矩形状の収納凹部２２ａが形成されている。
【００４３】
また複数の収納部２２はそれぞれ、長手方向に沿って等間隔に離れた位置にあり、エンボステープ２１の両端にある収納部２２を除いて他の各収納部２２の収納凹部２２ａには、それぞれ１つの電子部品２が収納される。
送り孔２３は、エンボステープ２１の長手方向に沿った両側部に、それぞれ等間隔に離れるように複数個形成されている。
【００４４】
カバーテープ２９は、エンボステープ２１の両端にある収納凹部２２ａを除く他の各収納凹部２２ａを塞ぐように、そのエンボステープ２１の表面に貼り付けられている。
そして、エンボステープ２１の両端にある収納凹部２２ａは開放されて空の状態とされている。
そこで、部品実装機に取り付けられたリールから部品テープ２０が引き出され、その部品テープ２０の終端がリール表面に近づいてきたときには、作業員は、そのリールから部品テープ２０をその終端まで解き、その終端と、新たな交換用のリールに巻き付けられた部品テープ２０の先端とをつなぎ合わせる作業を行う。
【００４５】
即ち、作業員は、まず、図４（ａ）に示すように、使用中の部品テープ２０のエンボステープ２１の終端にある収納部２２の裏面側を、交換用の部品テープ２０のエンボステープ２１の先端にある収納部２２の収納凹部２２ａにそれぞれ対向させる。
【００４６】
次に、作業員は、使用中の部品テープ２０終端の収納部２２を裏面側から、交換用の部品テープ２０先端の収納凹部２２ａに押し込める。
その結果、図４（ｂ），（ｃ）に示すように、使用中の部品テープ２０の終端にある収納部２２は、交換用の部品テープ２０先端にある収納凹部２２ａに挿入された状態となる。
ここで、使用中の部品テープ２０終端にある収納部２２を、交換用の部品テープ２０の先端にある収納凹部２２ａに押し込めるときには、作業員は片手で押し込める。
【００４７】
図５は、使用中の部品テープ２０終端にある収納部２２を、交換用の部品テープ２０先端にある収納凹部２２ａに押し込めるときの様子を説明するための説明図である。
作業員は、図５に示すように、使用中の部品テープ２０終端と交換用の部品テープ２０先端とを、それぞれに形成された収納部２２を対向させた状態で重ね合わせ、対向させた一対の収納部２２を片手で挟みこむ。これにより、使用中の部品テープ２０終端の収納部２２は、交換用の部品テープ２０先端の収納凹部２２ａに押し込められる。
【００４８】
そして、使用中の部品テープ２０及び交換用の部品テープ２０のそれぞれのエンボステープ２１に形成された収納部２２の形状及び寸法はそれぞれ等しく、且つ収納部２２は薄肉の樹脂成形品からなり弾力性を有するため、上述のように作業員が押し込めると、それぞれの収納部２２は互いに押圧して歪ながら一方の収納部２２が他方の収納部２２の収納凹部２２ａに挿入される。挿入後であっても、交換用の部品テープ２０先端の収納部２２内面は、使用中の部品テープ２０終端の収納部２２に密着し、それぞれの収納部２２は互いに相手の収納部２２を押圧する状態に保たれる。
【００４９】
このような押圧により両部品テープ２０の重ね合わせ方向のつなぎ合わせ強度が確保されるとともに、互いの収納部２２の係合によって部品テープ２０の長手方向のつなぎ合わせ強度が確保され、その結果、使用中の部品テープ２０の終端と交換用の部品テープ２０の先端とがつなぎ合わされる。
なお、上述では作業員が収納部２２を手で直接押し込めたが、工具を用いて押し込んでも良い。
【００５０】
このように本実施の形態では、交換用の部品テープ２０先端に形成された収納部２２の収納凹部２２ａに、使用中の部品テープ２０終端に形成された収納部２２を裏面側から圧入することによってこれらの部品テープ２０をつなぎ合せるため、実施の形態１と同様、従来例のように専用のテープを貼り付けたりするなどの特別な部材を要することなく、簡単につなぎ合せることができる。
【００５１】
さらに、本実施の形態における方法では、電子部品２を収納するための収納部２２を用いてつなぎ合わせが行われるため、双方の部品テープ２０を所定の位置からずれることなくつなぎ合せることができ、つまり、双方の部品テープ２０を一直線に沿って、収納部２４と収納部２４との間の距離を等しく揃えてつなぎ合せることができる。さらに、従来からある部品テープに対しても本方法を適用することができる。
【００５２】
また、部品テープ２０の各収納部２２はそれぞれ、同形状及び同寸法の薄肉の樹脂成形品から構成されているため、人の手で簡単につなぎ合せることができる。
ここで、上述では、使用中の部品テープ２０の終端と、交換用の部品テープ２０の先端とをつなぎ合わせる方法について説明したが、使用中の部品テープ２０の終端に、交換用の部品テープ２０を途中からつなぎ合わせる方法について、以下に説明する。
【００５３】
図６は、使用中の部品テープ２０終端に、交換用の部品テープ２０を途中からつなぎ合わせる方法を説明するための説明図である。
まず、作業員は、図６（ａ）に示すように、交換用の部品テープ２０においてつなぎ合せる部位を特定して、その部位から先端側を切り取る。このとき、作業員は、収納部２２と収納部２２との間を切断する。
【００５４】
切り取り後、交換用の部品テープ２０の先端に形成された収納部２２の収納凹部２２ａは、カバーテープ２９に覆われた状態になっている。
そこで、作業員は、図６（ｂ）に示すように、カバーテープ２９を先端側から剥がして収納凹部２２ａを露出させ、その収納凹部２２ａを空にする。そして作業員は、その空になった収納凹部２２ａに、使用中の部品テープ２０の終端に形成された連結部２２の裏面を対向させる。そして、図４及び図５で説明したのと同様、作業員は、対向させた一対の収納部２２を片手で挟み込んで、一方の収納部２２を他方の収納部２２の収納凹部２２ａに押し込むことによって、使用中の部品テープ２０の終端に、交換用の部品テープ２０を途中からつなぎ合せる。
【００５５】
このように本実施の形態では、交換用の部品テープ２０を途中から、使用中の部品テープ２０の終端につなぎ合せるときには、交換用の部品テープ２０を収納部２２と収納部２２との間で切断して、切断後の先端にある収納部２２を用いるため、上述の終端と先端とをつなぎ合わせるときと同様、交換用の部品テープ２０を途中から簡単につなぎ合せることができる。
【００５６】
以上、本発明に係る部品テープのつなぎ合わせ方法について、実施の形態１及び２を用いて説明したが、本発明は、これらに限定されるものではない。
例えば、実施の形態１では、エンボステープ１１に形成された連結部１４を、他のエンボステープ１１に形成された連結部１４の凹部に圧入することで、２つの部品テープをつなぎ合わせたが、さらに、実施の形態２のように収納部１２を利用してつなぎ合わせても良い。
【００５７】
図７は、連結部１４及び収納部１２を利用して２つの部品テープをつなぎ合せる方法を説明するための説明図である。
図７に示すように、２つの部品テープをつなぎ合せるときには、一方の部品テープのエンボステープ１１に形成された連結部１４及び収納部１２を、他方の部品テープのエンボステープ１１に形成された連結部１４の凹部及び収納部１２の収納凹部１２ａにそれぞれ各別に圧入する。このようにつなぎ合わせた場合には、２つの部品テープのつなぎ合わせの強度を増すことができる。
【００５８】
また、連結部１４の凹部や収納凹部１２ａの内側面が傾斜するように予め部品テープを形成しておいても良い。即ち、連結部１４の凹部や収納凹部１２ａの内断面が表面側から裏面側に向かうにつれて狭くなるようにエンボステープ１１を形成しておく。これにより、よりスムーズに連結部１４や収納部１２を圧入することができる。
さらに、実施の形態２では、一組の収納凹部２２ａと収納部２２を用いて２つの部品テープ２０をつなぎ合わせたが、複数組を用いてつなぎ合わせても良い。即ち、一方の部品テープ２０にある複数の収納凹部２２ａに、他方の部品テープ２０にある複数の収納部２２を各別に押し込んでつなぎ合せる。
【産業上の利用可能性】
【００５９】
本発明の部品テープのつなぎ合わせ方法は、他の専用の部材を用いることなく、一方の部品テープの先端に他方の部品テープの終端を簡単につなぎ合せることができるという効果を奏し、部品テープを引き出しながら電子部品を基板上に実装する部品実装機の実装動作を支援する方法などとして有用であって、電子機器生産業などに適用することができる。
【図面の簡単な説明】
【００６０】
【図１】本発明の第１の実施の形態における部品テープのつなぎ合わせ方法を説明するための説明図である。
【図２】使用中の部品テープ終端にある連結部を、交換用の部品テープ先端にある連結部の凹部に押し込めるときの様子を説明するための説明図である。
【図３】使用中の部品テープ終端に、交換用の部品テープを途中からつなぎ合わせる方法を説明するための説明図である。
【図４】本発明の第２の実施の形態における部品テープのつなぎ合わせ方法を説明するための説明図である。
【図５】使用中の部品テープ終端にある収納部を、交換用の部品テープ先端にある収納凹部に押し込めるときの様子を説明するための説明図である。
【図６】使用中の部品テープ終端に、交換用の部品テープを途中からつなぎ合わせる方法を説明するための説明図である。
【図７】連結部及び収納部を利用して２つの部品テープをつなぎ合せる方法を説明するための説明図である。
【図８】（ａ）は部品実装機の外観を示す斜視図であり、（ｂ）は部品テープが巻きつけられたリールの外観を示す斜視図である。
【図９】従来のエンボステープを備えた部品テープのつなぎ合わせ方法を示す説明図である。
【図１０】従来のジョイントテープをカバーテープの上から貼り付けるつなぎ合わせ方法を説明するための説明図である。
【符号の説明】
【００６１】
１０  部品テープ
１１  エンボステープ
１２  収納部
１２ａ  収納凹部
１３  送り孔
１４  連結部
１９  カバーテープ
２０  部品テープ
２１  エンボステープ
２２  収納部
２２ａ  収納凹部
２３  送り孔
２９  カバーテープ
【図１】
2005104557.tif 000003
【図２】
2005104557.tif 000004
【図３】
2005104557.tif 000005
【図４】
2005104557.tif 000006
【図５】
2005104557.tif 000007
【図６】
2005104557.tif 000008
【図７】
2005104557.tif 000009
【図８】
2005104557.tif 000010
【図９】
2005104557.tif 000011
【図１０】
2005104557.tif 000012